(57)【要約】      （修正有）【課題】クリップ部を備えた調律装置の収納時に、調律装置本体とクリップ部、クリップ部自体の隙間を減らしコンパクト化を図ることができるとともに、楽器への高い把持力を備えた音楽用電子機器を提供する。【解決手段】調律装置１において、クリップ部１０を、平板形状の第１板材２０と、第１板材２０の上方に対向配置されて挟持板部３２と逃げ板部３４とを備える第２板材３０と、これらを相対回動可能に連結して第１板材２０と挟持板部３２とが閉じて平行となる方向に付勢するヒンジ部３６とから構成し、挟持板部３２と逃げ板部３４とに囲われた空間を収納スペースとし、第２板材３０に連結された調律装置本体４０を、その背面を挟持板部３２及び逃げ板部３４の上面に沿わせ、表示部４２を挟持板部３２の上方に向けた状態で収納する。また、クリップを閉じた状態では凹型の窪み部を形成した中央部６１ｂに上パッドと挟持板先端部３３が収納される。【選択図】図２
2011053649.tif 000002
【特許請求の範囲】
【請求項１】
所定の情報を表示する表示部を表面に備えた電子機器本体と、該電子機器本体を楽器などに装着するクリップ部と、前記電子機器本体を前記クリップ部に連結する連結部材とを備える音楽用電子機器において、
前記クリップ部の一方の先端に配置される凹型の形状を成す凹型パッド部材と、
前記クリップ部の他方の先端に配置される凸型パッド部材を有し、
前記クリップ部を閉じた時に、前記凸型パッド部材が前記凹型パッド部材の凹部に収納されることを特徴とする音楽用電子機器。
【請求項２】
前記クリップ部が、
平板形状をなす第１板材と、
該第１板材の上方に対向配置され、先端側が前記第１板材と平行に延びる挟持板部とされるとともに後端側が前記第１板材から離間する方向に傾斜して延びる逃げ板部とされる第２板材と、
前記第１板材と前記第２板材とを相対回動可能に連結して、前記第１板材と前記挟持板部とによって前記楽器を把持可能とするヒンジ部とを有し、
前記挟持板部と前記逃げ板部とに囲われた収納スペースに、前記第２板材の先端部上面に前記連結部材によって連結された前記電子機器本体が、該電子機器本体の背面を前記挟持板部及び前記逃げ板部の上面に沿わせるとともに前記表示部を前記挟持板部の上方に向けて収納されることを特徴とする請求項１に記載の音楽用電子機器。
【請求項３】
前記第２板材の先端に前記凸型パッド部材を配置し、前記第２板材および前記凸型パッド部材は前記第１板材の先端に配置された前記凹型パッド部材の凹部に収納されることを特徴とする請求項２に記載の音楽用電子機器。
【請求項４】
前記凹型パッド部材と前記凸型パッド部材は、前記クリップ部の内側を沿う形で配置された保護部材で連結されていることを特徴とする請求項１から３のいずれか一項に記載の音楽用電子機器。
【請求項５】
前記凹型パッド部材が楽器などに接触する面が異なる曲率を持つ複数の曲面で構成されることを特徴とする請求項１から４のいずれか一項に記載の音楽用電子機器。
【請求項６】
前記凹型パッド部材の曲面は前記ヒンジ部側の曲率に比べ先端側の曲率が高くなっていることを特徴とする請求項５に記載の音楽用電子機器。
【請求項７】
前記凹型パッド部材が楽器などに接触する面に滑り止め加工を施したことを特徴とする請求項１から６のいずれか一項に記載の音楽用電子機器。
【請求項８】
前記第２部材に、前記逃げ板部の後端側から傾斜して延びる把持部を有することを特徴とする請求項２から７のいずれか一項に記載の音楽用電子機器。
【請求項９】
前記把持部は、平板形状に形成され、前記クリップ部を閉じた時に、第１板材と平行であることを特徴とする請求項８に記載の音楽用電子機器。
【請求項１０】
前記第２板材の後端に突起で構成された把持突起部を有することを特徴とする請求項２から９のいずれか一項に記載の音楽用電子機器。
【請求項１１】
前記電子機器本体が、前記クリップ部から着脱可能な構造を有することを特徴とする請求項２から１０のいずれか一項に記載の音楽用電子機器。
【請求項１２】
前記クリップ部は、
前記第２部材の先端に設けられた連結部と、
前記連結部で前記第２部材と連結する平板状をなす第３板材と、
前記第３部材の平行な２辺に直線状に設けられた凹型の接続スリットと、
を有し、
前記電子機器本体は、
前記表示部を備えた面と反対の面の両辺に直線状に設けられた前記凹型と同一形状の突起で構成された接続突起部と、を有することを特徴とする請求項１１に記載の音楽用電子機器。
【請求項１３】
前記第３板材に突起部を設けるとともに、前記電子機器本体に前記突起部と同一形状の前記凹部を設けることを特徴とする請求項１２に記載の音楽用電子機器。
【請求項１４】
前記音楽用電子機器本体に、楽器の操作により生じた振動を検知する振動センサが内蔵されていることを特徴とする請求項１から１３のいずれか一項に記載の音楽用電子機器。
【発明の詳細な説明】
【技術分野】
【０００１】
本発明は、音楽の演奏時（演奏開始前）や練習時に用いられる調律装置やメトロノーム等の音楽用電子機器に関するものである。
【背景技術】
【０００２】
従来から、音楽の演奏時や練習時に用いられる音楽用電子機器が知られており、その一例としては、任意の音を入力してその音高情報を基準として調律を行う調律装置が挙げられる。
【０００３】
この調律装置は、楽器に直接取り付けて楽器から発生した音の調律状態を調律装置本体の表示部に表示するものであり、従来の調律装置は、調律対象である楽器から発せられる音を効率良く感知する場所を探りながら設置する必要があった。調律対象が金管楽器の場合、ベル付近の発音側が最も効率の良い採音ができる位置であるが、この位置に調律装置を設置すると、調律装置本体の表示面がベルに隠れてしまうという問題があった。このような問題を解消するために、楽器の発音部近傍を挟持するクリップ部と、調律した結果を表示する表示面を備えた調律装置本体との間に回動可能な継手を設け、表示面が演奏者から視認し易い位置に配置可能な調律装置が提案されている（例えば、特許文献１参照）。また、一般に調律装置用クリップの挟み付け部には滑り止めラバーが取り付けられており、ラバーを中空形状にすることでクリップ部を楽器にしっかりホールドさせるように工夫されたものもある（例えば、特許文献２参照）。
【先行技術文献】
【特許文献】
【０００４】
【特許文献１】特開２００３−２５５９３２号公報
【特許文献２】特開２００５−２８４０３５号公報
【発明の概要】
【発明が解決しようとする課題】
【０００５】
ところで、上記特許文献１の調律装置は、クリップ部と調律装置本体とが独立して配置された状態でこれらクリップと調律装置本体とが継ぎ手によって連結された構成とされている。したがって、クリップと調律装置本体との一体感はなく、これらクリップと調律装置本体との間に無駄なスペースが生じてしまい、コンパクトな構成とすることができないという問題があった。
【０００６】
また、上記特許文献２の調律装置用クリップの場合、クリップを単体で閉じたときにラバーの厚みがあるため挟み付け部を完全に閉じることができず、クリップ自体のコンパクトさも妨げる構造となっていた。
【０００７】
この発明はこのような課題に鑑みてなされたものであって、クリップ部収納時に無駄なスペースを作らない構成とすることでコンパクト化を図ることができるとともに、楽器等への取り付け時の高い把持力を備えた音楽用電子機器を提供することを目的とする。
【課題を解決するための手段】
【０００８】
上記課題に鑑みて、本発明は以下の手段を提案している。
即ち、本発明に係る音楽用電子機器は、所定の情報を表示する表示部を表面に備えた電子機器本体と、該電子機器本体を楽器などに装着するクリップ部と、前記電子機器本体を前記クリップ部に連結する連結部材とを備える音楽用電子機器において、前記クリップ部の一方の先端に配置される凹型の形状を成す凹型パッド部材と、前記クリップ部の他方の先端に配置される凸型パッド部材を有し、前記クリップ部を閉じた時に、前記凸型パッド部材が前記凹型パッド部材の凹部に収納されることを特徴とする。
【０００９】
また、本発明に係る音楽用電子機器は、前記クリップ部が、平板形状をなす第１板材と、該第１板材の上方に対向配置され、先端側が前記第１板材と平行に延びる挟持板部とされるとともに後端側が前記第１板材から離間する方向に傾斜して延びる逃げ板部とされる第２板材と、前記第１板材と前記第２板材とを相対回動可能に連結して、前記第１板材と前記挟持板部とによって前記楽器を把持可能とするヒンジ部とを有し、前記挟持板部と前記逃げ板部とに囲われた収納スペースに、前記第２板材の先端部上面に前記連結部材によって連結された前記電子機器本体が、該電子機器本体の背面を前記挟持板部及び前記逃げ板部の上面に沿わせるとともに前記表示部を前記挟持板部の上方に向けて収納されることを特徴とする。
【００１０】
また、本発明に係る音楽用電子機器は、前記第２板材の先端に前記凸型パッド部材を配置し、前記第２板材および前記凸型パッド部材は前記第１板材の先端に配置された凹型パッド部材の凹部に収納されることを特徴とする。
【００１１】
本発明に係る音楽用電子機器は、前記凹型パッド部材と前記凸型パッド部材は、前記クリップ部の内側を沿う形で配置された保護部材で連結されていることを特徴とする。
さらに、前記凹型パッド部材が楽器などに接触する面が異なる曲率を持つ複数の曲面で構成されていてもよい。
なお、本発明に係る音楽用電子機器は、前記凹型パッド部材の曲面はヒンジ部側の曲率に比べ先端側の曲率が高くなっていてもよい。
または、前記凹型パッド部材が楽器などに接触する面に滑り止め加工を施されていてもよい。
【００１２】
また、本発明に係る音楽用電子機器は、前記第２部材に、前記逃げ板部の後端側から傾斜して延びる把持部を有することを特徴とする。
また、本発明に係る音楽用電子機器は、前記把持部は、平板形状に形成され、前記クリップ部を閉じた時に、第１板材と平行であることを特徴とする。
【００１３】
また、本発明に係る音楽用電子機器は、前記第２板材の後端に突起で構成された把持突起部を有することを特徴とする。
また、本発明に係る音楽用電子機器は、前記電子機器本体が、前記クリップ部から分離可能な構造をとることを特徴とする。
【００１４】
また、本発明に係る音楽用電子機器は、上記のように分離可能な場合、前記クリップ部は、前記第２部材の先端に設けられた連結部と、  前記連結部で前記第２部材と連結する平板状をなす第３板材と、前記第３部材の平行な２辺に直線状に設けられた凹型の接続スリットと、を有し、前記電子機器本体は、前記表示部を備えた面と反対の面の両辺に直線状に設けられた前記凹型と同一形状の突起で構成された接続突起部と、を有していることを特徴とする。
【００１５】
また、本発明に係る音楽用電子機器は、前記第３板材に突起部を設けるとともに、前記電子機器本体に前記突起部と同一形状の前記凹部を設けることを特徴とする。
なお、本発明に係る音楽用電子機器は、前記電子機器本体に、楽器の操作により生じた振動を検知する振動センサが内蔵されていることを特徴とする。
【発明の効果】
【００１６】
本発明の音楽用電子機器によれば、クリップ部の第２板材上部の収納スペースに電子機器本体を収納し、さらに下パッドの凹型窪み部に上パッドおよびクリップ上部先端部を収納することにより、電子機器本体とクリップ部との一体化を図り、音楽用電子機器自体をコンパクトな構成とすることができる。
【００１７】
また、下パッドの楽器接触面が、異なる曲率を持つ複数の曲面や、波型形状などで構成されることで、楽器への把持力を高めることが可能となる。
【図面の簡単な説明】
【００１８】
【図１】本発明に係る調律装置の側面図である。
【図２】調律装置を収納した状態の側面図および斜視図である。
【図３】クリップ部先端の拡大図である。
【図４】第一の実施形態に係る調律装置のクリップ部で、楽器を挟み込んだ場合の側面図である。
【図５】ラバー部の曲率が一定なクリップ部で、厚みの小さい楽器を挟みこんだ場合の側面図である。
【図６】第二の実施形態に係る調律装置の側面図である。
【図７】第二の実施形態に係る調律装置のクリップ部で、厚みの大きい楽器を挟み込んだ場合の側面図である。
【図８】第二の実施形態に係る調律装置のクリップ部で、厚みの小さい楽器を挟み込んだ場合の側面図である。
【図９】第三の実施形態に係る調律装置の側面図である。
【図１０】第四の実施形態に係る調律装置の側面図である。
【図１１】第四の実施形態に係る調律装置の側面図である。
【図１２】第五の実施形態に係る調律装置の側面図である。
【図１３】第五の実施形態に係る調律装置本体の側面図および正面図、調律装置本体とクリップ部の連結を示す斜視図である。
【発明を実施するための形態】
【００１９】
以下、図面を参照して、本発明の音楽用電子機器の実施形態としての調律装置について説明する。図１は本発明に係る調律装置の側面図、図２は調律装置を収納した状態の側面図および斜視図である。
【００２０】
なお、本発明は、調律装置に限らず、メトロノーム、メトロノーム付調律器、音楽再生用携帯電子機器などの音楽用電子機器に適用することができる。
【００２１】
図１に示すように、調律装置（音楽用電子機器）１は、クリップ部１０と、調律装置本体（電子機器本体）４０と、連結部材５０とを有している。
【００２２】
クリップ部１０は、互いに対をなす第１板材２０及び第２板材３０の間に配置されて図示しないねじりコイルバネや板バネを備えたヒンジ部３６の付勢力によって、例えば管楽器やギター等の楽器を挟持することにより、調律装置１を該楽器に取り付けるものである。
【００２３】
図１に示すように、第１板材２０は、矩形平板形状をなす第１板材本体２１を有しており、該第１板材本体２１の長手方向の先端側（図１における右側）には、該第１板材本体２１の先端から上方に向かって傾斜して延在する顎板部２２が一体に形成されている。この顎板部２２の先端部上面にはラバーなどで構成される下パッド（パッド部材）６１が接着するなどして設置されている。
【００２４】
第２板材３０は、上記第１板材２０の上方に対向配置され、矩形平板がその中間部において下方に凸となるように屈折した形状をなしている。
【００２５】
この屈折部３１を境界とした第２板材３０の先端側の部分は、上記第１板材２０と平行に延びる挟持板部３２と、該挟持板部３２より横幅が小さく構成された挟持板先端部３３とされており、該挟持板先端部３３の先端部下面には、ラバーなどで構成される上パッド（パッド部材）６２が接着するなどして設置されている。
【００２６】
また、屈折部３１を境界とした後端側の部分は、屈折部３１から後端側に向かうに従って第１板材２０から逃げるように傾斜して延びる逃げ板部３４とされている。
【００２７】
そして、逃げ板部３４の先端部下面と第１板材２０の上面における逃げ板部３４の先端部下面に対向する箇所とが、ヒンジ部３６によって連結されている。
【００２８】
このヒンジ部３６は、第１板材２０及び第２板材３０の長手方向に直交するとともにこれら第１板材２０及び第２板材３０の板面に平行な回転軸３７を有しており、これによって、第１板材２０及と第２板材３０とが対向状態を維持しつつ該回転軸３７を支点として互いに相対回動するようになっている。
【００２９】
このヒンジ部３６は、図示しないバネ等の弾性部材によって第１板材２０と挟持板部３２とを接近させる方向に回動付勢している。これにより、第１板材２０と第２板材３０の挟持板部３２とが近接してクリップ部１０が閉じた状態とされ、この際、第２板材３０の先端が第１板材２０の顎板部２２の上面に当接する。なお、この状態においては、挟持板部３２の下面と第１板材２０の上面との間にクリアランスが形成される。
【００３０】
また、第２板材３０の逃げ板部３４の後端側と第１板材２０の後端側とを接近させる方向に外力を加えると、挟持板部３２と第１板材先端部上面とが離間し、クリップ部１０が開いて、下パッド６１と上パッド６２によって楽器を把持することが可能な状態となる。
【００３１】
一方、クリップ部１の先端部に設置された下パッド６１と上パッド６２は保護シート６３を介し、一体となって接続されている。保護シート６３はクリップ部１０で楽器を把持したときに、楽器がクリップ部１０と接触して傷つけられたり、楽器をクリップ部１０に入れる量が多すぎるなど適切な挟み方を行えなくなったりする問題を防ぐ役割を果たす。
【００３２】
図３はクリップ部１を開口した状態の、先端部の拡大図である。下パッド６１は、楽器接触面６１ａが曲面となっており、楽器をはさんだ際に挟み込んだ対象に合わせて変形し、把持力を高める構造になっている。また、下パッド６１の中央部６１ｂは凹型の窪みを形成しており、図２に示すようにクリップ部１を閉じた状態で上パッド６２および挟持板先端部３３が凹部に収納される構造となっている。このため、クリップ部１が閉じた状態では、下パッド６１と上パッド６２の厚みに影響されることなく第２板材３０の挟持板部３２と第１板材２０とが平行状態に維持される。
【００３３】
このようなクリップ部１０の第２板材３０の上方には、挟持板部３２の上面と逃げ板部３４の上面とに囲われた空間が形成され、該空間が調律装置１の調律装置本体４０の収納スペースとされている。
【００３４】
調律装置本体４０は、図１及び図２に示すように概略船形状をなし樹脂製からなる筐体４１を備えており、該筐体４１における平坦状の表面全域には、調律器として機能する際の情報が表示される表示部４２が設けられている。この表示部４２としては、例えばメーター、複数のＬＥＤ、ＬＣＤ表示器などが使用される。
【００３５】
上記筐体４１の内部には、電気回路や電池とともに振動センサ（図示省略）が内蔵されている。楽器の演奏時には空気を伝搬する振動が該振動センサによって検知され、この検知に基づく電気信号が増幅回路により所望のレベルの電気信号に増幅されてピッチ抽出手段に入力される。このピッチ抽出手段は、例えば「入力された信号の中で最も周期が長い基本波成分の周期を計測する」というような命令が記憶されているメモリとマイクロコンピュータで実現される。
【００３６】
続いて、このピッチ抽出手段において計測されたピッチと予め設定されている基準ピッチがピッチ誤差検出手段に入力される。このピッチ誤差検出手段は「入力された周波数の差を計算する」という命令が記憶されているメモリとマイクロコンピュータによって実現される。
【００３７】
そして、このピッチ誤差検出手段において計算された周波数偏差の値に応じて、表示部４２に結果が表示される。
【００３８】
また、上記筐体４１は、表示部４２の反対側に位置し該表示部４２と平行をなす主背面４３と、該主背面４３の長手方向両端側から広がるようにそれぞれ前面側に傾斜して延びる一対の傾斜背面４４ａ、４４ｂとを有している。
【００３９】
この傾斜背面４４ａ、４４ｂのうち、一方の傾斜背面４４ａと主背面４３とのなす角度は、上記第２板材３０の挟持板部３２と逃げ板部３４とのなす角度と同一に形成されている。
【００４０】
そして、本実施形態においては、上記構成の調律装置本体４０が、表示部４２を上方に向けるとともに、主背面４３を第２板材３０の挟持板部３２上に沿わせ、さらに、一方の傾斜背面４４ａを第２板材３０の逃げ板部３４に沿わせた収納状態で、第２板材３０上に配置される。
【００４１】
そして収納状態において、第２板材３０の挟持板部３２の先端部上面と、調律装置本体４０の筐体４１の他方の傾斜背面４４ｂとが連結部材５０によって連結支持されている。なお、調律装置本体４０が収納状態とされている場合には、第２板材３０上面と調律装置本体４０背面との間には僅かなクリアランスが設けられている。
【００４２】
該連結部材５０は、第２板材３０及び調律装置本体４０の長手方向に直交するとともにこれら第２板材３０の上面及び調律装置本体４０の表示部４２に平行な回転軸５１を有している。この回転軸５１を支点として第２板材３０と調律装置本体４０とが相対回動可能に構成されている。これによって、調律装置本体４０は、図２に示すようにその背面が第２板材３０の上面に沿って配置される収納状態と、図１に示すように表示部４２が第１板材２０及び第２板材３０の先端側、即ち、クリップ部１０の先端側を向く立ち上がり状態との間で回動可能とされている。
【００４３】
以上のような構成の調律装置１は、未使用時においては通常調律装置本体４０が収納状態とされており、使用する際にはクリップ部１０の第１板材２０と挟持板部３２とによって楽器を挟み込み、調律装置本体４０を立ち上がり状態へと回動させる。
【００４４】
その後、楽器が演奏されると、その振動が調律装置本体４０に内蔵された振動センサによって検知され、表示部４２に情報が表示される。
【００４５】
本実施形態に係る調律装置１によれば、クリップ部１０の第２板材３０の上方に挟持板部３２と逃げ板部３４とに囲われた収納スペースが形成され、該収納スペースに挟持板部３２及び逃げ板部３４の上面に調律装置本体４０が背面を沿わせた状態で収納される。さらに、第１板材２０に設置した下パッド６１の中央部６１ｂの凹型窪み部に、第２板材３０先端側の挟持板先端部３３、および挟持板先端部３３に設置した上パッド６２が収納される。これにより、調律装置本体４０と第２板材３０、および第１板材２０と第２板材３０と間に生じる無駄なスペースを最小限に抑えることができるため、クリップ部１０と調律装置本体４０との一体感を高め、調律装置１自体をコンパクトな構成とすることが可能となる。
【００４６】
また、クリップ部１０の第１板材の顎板部２２先端部上面に設置された上パッド６１および第２板材３０における挟持板先端部３３の下面に設けられた上パッド６２、さらに保護シート６３によって、楽器を把持した際に、クリップ部１０によって楽器に傷が付けられるのを回避できるとともに、クリップ部１が把持した対象からずれてしまうのを防止することができる。
【００４７】
以上、本発明の音楽用電子機器の実施の形態である調律装置１について詳細に説明したが、本発明の技術的思想を逸脱しない限り、これらに限定されることはなく、多少の設計変更等も可能である。例えば、調律装置本体４０に代えて、メトロノーム等の他の電子機器本体を備えたものであってもよい。
【００４８】
ところで、調律装置１のクリップ部１０では状況に応じて様々な厚さの楽器を挟むことがある。図４は図１の調律装置で厚みのある楽器を挟み込んだ場合の側面図、図５は図１の調律装置で厚みの小さい楽器を挟み込んだ場合の側面図である。
【００４９】
この下パッドの楽器接触面６１ａは一様になだらかな曲面で構成されており、図４のように厚みのある楽器を挟み込んだ場合は、上パッド６２が楽器上面７２を押圧する位置と、下パッド６１が楽器下面７１を押圧する位置について、楽器端面７３からの距離が上下ともほぼ同じとなり、上パッド６２・下パッド６１ともに楽器７０を面で確実に押圧しつづけるため、楽器が安定して把持される。しかし、厚みの小さい楽器を挟み込んだ場合は、図５の（ａ）のように上パッド６２が楽器上面９２を押圧する位置と、下パッド６１が楽器下面９１を押圧する位置について、挟み方によっては楽器端面９３からの距離が上下で離れる場合がある。このときは図５の（ｂ）のように調律装置１が上パッド６２と下パッド６１の押圧する力の位置のずれによって傾いてしまい、上パッド６２・下パッド６１が楽器７０を押圧する位置が面ではなく線となる場合がある。このため、調律装置１の楽器７０への把持力が弱くなり、調律装置１が楽器７０から外れやすくなってしまう。また、この調律装置１では楽器７０の振動が上パッド６２や下パッド６１を介して調律装置本体４０内の振動センサに伝播するが、把持力が弱くなることで調律装置本体４０に伝播するまでに減衰し、振動センサが振動を検知しにくくなることで調律装置としての性能が落ちることがある。
【００５０】
そこで、下パッドの形状を工夫することで、調律装置１がどのような厚さの楽器に取り付けた場合にもクリップ部１０が安定して楽器を把持することが可能となる。図６は下パッドの楽器接触面を、曲率の違う２つの曲面で構成した調律装置の実施例に係る側面図である。下パッド８０は図３の下パッド６１の中央部６１ｂと同様に、中央部に図示しない凹型窪みを形成しており、クリップ部を閉じた状態で上パッド６２および挟持板先端部が凹部に収納される構造となっている。また、下パッド８０の楽器接触面は曲率の小さい接触部８０ａと曲率の大きい接触部８０ｂで構成されている。
【００５１】
図７は図６の調律装置で厚みのある楽器を挟み込んだ場合の側面図、図８は図６の調律装置で厚みの小さい楽器を挟み込んだ場合の側面図である。厚みのある楽器に対しては、図７のように下パッド８０は楽器下面７１に対し曲率の小さい接触部８０ａで押圧することとなる。この押圧する位置は、上パッド６２が楽器上面９２を押圧する位置と、楽器端面７３からの距離がほぼ同じとなり、図４と同様に上パッド６２・下パッド６１ともに楽器７０を面で確実に押圧しつづけるため、楽器が安定して把持される。一方、厚みの小さい楽器を挟みつけた場合は、図８のように下パッド８０は楽器下面９１に対し曲率の大きい接触部８０ｂで押圧することとなる。この下パッド８０が押圧する位置は、図５のようになだらかな曲面で構成された下パッドの押圧する場合の位置と比べ、より楽器端面９３側に寄る。その結果、上パッド６２が楽器上面９２を押圧する位置と、楽器端面７３からの距離が近づくこととなり、楽器９０に対して上下方向に押圧する力のずれが小さくなって調律装置１が傾くのを防ぐことができる。なお、この実施例では異なる２つの曲率を持つ曲面の構成を提示したが、複数の曲率をもつ曲面を組み合わせることでより多くの厚さの楽器に対応することもできる。
【００５２】
これによって、挟む楽器の厚みに関わらず、上パッド・下パッドで楽器を面で確実に押圧しつづけることができるため、楽器に対する把持力を増すと共に、振動を確実に調律装置本体に伝播させることができる。
【００５３】
また、下パッドの楽器接触面の形状を、滑り止め加工を施した構造にしてもよい。図９は下パッドに滑り止めの加工を施した調律装置の側面図である。下パッド８１の楽器接触面８１ａはのこぎり波状に形成されている。これにより楽器を挟んだ状態での下パッドの静摩擦力を高め、楽器取り付け時のクリップ部のずれをより少なくすることが可能である。なお、滑り止め加工は形状に限らず、下パッドの材質をより摩擦係数の高いものに変えてもよい。
【００５４】
これによって、挟む楽器の厚みに関わらず、上パッド・下パッドで楽器を安定して押圧しつづけることができるため、楽器に対する把持力を増すと共に、振動を確実に調律装置本体４０に伝播させることができる。
【００５５】
また、クリップ部１０の持ち手部分をより持ちやすくするため、長さを長くしても良い。図１０はクリップ部１０の第１板材２０および第２板材３０において、持ち手部分を長くした実施例を示す図である。図１０において、第２板材３０の逃げ板部３４の後端側から傾斜して延びる把持部３８を設けている。これにより、クリップ部の開閉に用いる力を軽減すると共に、楽器に取り付けた際にクリップ部を適切な位置で把持するための調整を行いやすくすることができる。また、把持部３８を設けた場合、第１板材２０と第２板材３０の狭持板部３２とが近接してクリップ部１０が閉じた状態のときに、第１部材２０の後端が把持部３８の後端と同じ位置まで延びていてもよい。また、クリップ部１０が閉じた状態のとき、把持部３８が、平板形状を形成され、第１部材２０と平行に設けられてもよい。これにより、クリップ部１０をより把持しやすくすることができる。
【００５６】
さらに、図１１は、第１板材２０の把持部３８上に把持突起部３９を設けた図である。図１１（ａ）は本実施例における調律装置の側面図であり、図１１（ｂ）は、その斜視図である。図１１において、把持突起部３９は、把持部３８の後端、すなわち第２板材の後端上に設けられている。また、把持突起部３９は、曲面で構成されている。このように把持突起部３９をつけることにより、指の腹で容易にクリップを掴んで開閉することができる。また、滑り止めとしても有効であるため、より確実に開閉することが可能である。なお、把持突起部３９は、把持部３８を設けられていない場合、逃げ板部、すなわち第２板材の後端上に設けることもできる。また、把持突起部３９は、把持部３８の後端全体でなく、一部に設けられていてもよい。この場合、把持突起部３９が設けられている部分を掴んで開閉させれば、同様の効果が得られる。また、把突起部３９は曲面以外にも平面などの形状で構成されていてもよい。
【００５７】
図１２は、調律装置本体とクリップ部が連結部において着脱可能な構造になっている調律装置の実施例を示し、図１３は図１２の調律装置における調律装置本体およびクリップ部の構造を示す図である。この実施例では、第２板材３０と調律装置本体４０との接続について、図１２に示す第３板材１００を介して行う。第２板材３０と第３板材１００とは第２板材３０の先端側に設けられた連結部１０１で連結されており、第３板材１００は連結部１０１を回転軸として回転し、クリップ部１０から起き上がることが可能である。これにより、第３板材１００は、図１２に示すようにその背面が、第２板材３０の上面に沿って配置される収納状態と、図１３（ｂ）に示すように背面と反対の面が第１板材２０及び第２板材３０の先端側、即ちクリップ部１０の先端側を向く立ち上がり状態との間で回動可能になっている。また、第３板材１００は平板形状に形成され、第３板材１００には調律装置をスライドさせて第３板材１００に接続するための接続スリット１０１ａが第３部材１００のクリップ部１０の先端側から第２部材３０の後端側に向かう方向の両辺に直線状に備わっている。一方、調律装置本体４０には、表示部を設けた面と反対の面の平行な２辺に第３板材１００の接続スリット１０１ａに接続するための接続突起部４５が直線状に備わっている。すなわち、接続スリット１０１ａは接続突起部４５と同一形状の凹型に構成され、接続突起部４５の突起部の突起と嵌合させ、接続突起部４５により調律装置本体４０を第３板材１００に対して平行移動させることができる。第３板材１００をクリップ１０から起こした状態で、調律装置本体４０を第３板材１００の接続スリット１０１ａの方向に、すなわちクリップ部１０の先端側に向かってスライドさせて接続したり、逆方向にスライドさせて調律装置本体４０とクリップ部１０を分離させたりことができる。さらに、調律装置本体４０は逆向きに、すなわち調律装置本体４０の向きを反転させた状態で、スライドさせて第３板材１００に接続することもできる。これにより、楽器に調律装置を取り付けた状態で調律装置本体４０を逆向きに取り付けて表示方向を反転させることが可能である。また、第３部材１００または接続スリット１０１ａの一部に突起部を設けるとともに、調律装置本体４０において、調律装置本体４０を第３板材１００の先端までスライドさせた状態で、突起部に対応する位置に突起部と同一形状の凹部を設けてもよい。これにより、より確実に調律装置本体４０をクリップ部１０に固定することができる。また、第３板材１００または接続スリット１０１ａ、および調律装置本体４０のうち一方に、複数の突起部または凹部を設けることができる。これにより、調律装置本体４０を第３板材１００にスライドさせて段階的に固定させることができ、演奏者の調律しやすい位置に調律装置本体４０を固定することができる。また、調律装置本体４０をクリップ部１０から取り外して調律装置本体４０のみで調律することが可能となる。また、接続スリット１０１ａを第３板材１００においてクリップ部先端側の辺と、第２板材の３０の後端側、すなわち第３板材１００の後端側の辺との両辺に直線状に形成することもできる。この場合、調律装置本体４０に形成される接続突起部４５は、接続スリット１０１ａと対応する両辺に設けられる。すなわち接続スリット１０１ａおよび第３板材の平行な２辺にそれぞれスリットおよび接続突起部４５を設ける。この場合においても、調律装置本体とクリップ部が分離可能な構造において、調律装置本体４０を固定することができる。また、本実施例では、第３板材１００側に突起部、調律装置本体４０側に凹部を設けたが、第３板材１００側に凹部、調律装置本体４０側に突起部を設けてもよい。なお、突起及び凹部を第３板材１００及び調律装置本体４０の中央部に設けた場合、調律装置本体４０を反転させて第３板材１００に接続しても、調律装置本体４０を第３板材１００に対して同じ位置で固定することができる。また、突起部の代わりに第３板材１００の表面に滑り止めを設けて、調律装置本体４０を固定してもよい。この場合、凹部は設けなくてよい。
【００５８】
なお、以上の実施例は、調律装置で説明したが、メトロノーム、メトロノーム付調律器などの音楽用電子機器に適用できる。
【符号の説明】
【００５９】
１      調律装置（音楽用電子機器）
１０    クリップ部
２０    第１板材
２２    顎板部
３０    第２板材
３１    屈折部
３２    挟持板部
３３    挟持板先端部
３４    逃げ板部
３６    ヒンジ部
３７    回転軸
３８    把持部
３９    把持突起部
４０    調律装置本体
４２    表示部
４３    主背面
４４ａ  傾斜背面
４４ｂ  傾斜背面
４５    接続突起部
５０    連結部材
５１    回転軸
６１    下パッド（パッド部材）
６１ａ  楽器接触面
６１ｂ  下パッド中央部
６２    上パッド（パッド部材）
６３    保護シート
７０、９０    楽器
７１、９１    楽器下部
７２、９２    楽器上部
７３、９３    楽器端面
８０、８１    下パッド（パッド部材）
８０ａ  接触部
８０ｂ  接触部
１００    第３板材
１０１    連結部
１０１ａ  接続スリット
【図１】
2011053649.tif 000003
【図２】
2011053649.tif 000004
【図３】
2011053649.tif 000005
【図４】
2011053649.tif 000006
【図５】
2011053649.tif 000007
【図６】
2011053649.tif 000008
【図７】
2011053649.tif 000009
【図８】
2011053649.tif 000010
【図９】
2011053649.tif 000011
【図１０】
2011053649.tif 000012
【図１１】
2011053649.tif 000013
【図１２】
2011053649.tif 000014
【図１３】
2011053649.tif 000015